(57)【要約】  移動通信システムは、ネットワーク及びユーザ端末間でデータ通信を行うセルラ通信と、２以上のユーザ端末間で直接的にデータ通信を行うＤ２Ｄ通信と、をサポートする。前記移動通信システムは、前記セルラ通信を行うユーザ端末であるセルラ通信端末と、前記Ｄ２Ｄ通信を行うユーザ端末であるＤ２Ｄ通信端末と、前記セルラ通信端末が前記セルラ通信に使用する無線リソースを割り当てる基地局と、を有する。前記基地局は、前記Ｄ２Ｄ通信に使用可能なＤ２Ｄ無線リソースの中から前記セルラ通信端末が使用する可能性がある無線リソースを示す割当情報を前記Ｄ２Ｄ通信端末に送信する。
2014050557.tif 000002
【特許請求の範囲】
【請求項１】
ネットワーク及びユーザ端末間でデータ通信を行うセルラ通信と、２以上のユーザ端末間で直接的にデータ通信を行うＤ２Ｄ通信と、をサポートする移動通信システムであって、
前記セルラ通信を行うユーザ端末であるセルラ通信端末と、
前記Ｄ２Ｄ通信を行うユーザ端末であるＤ２Ｄ通信端末と、
前記セルラ通信端末が前記セルラ通信に使用する無線リソースを割り当てる基地局と、を有し、
前記基地局は、前記Ｄ２Ｄ通信に使用可能なＤ２Ｄ無線リソースの中から前記セルラ通信端末が使用する可能性がある無線リソースを示す割当情報を前記Ｄ２Ｄ通信端末に送信することを特徴とする移動通信システム。
【請求項２】
前記基地局は、前記Ｄ２Ｄ無線リソースの中から前記無線リソースをセルラ通信端末に割り当てる場合に、前記割当情報を前記Ｄ２Ｄ通信端末に送信することを特徴とする請求項１に記載の移動通信システム。
【請求項３】
前記無線リソースは、前記セルラ通信端末が前記セルラ通信の上りリンクに使用する無線リソースであることを特徴とする請求項１に記載の移動通信システム。
【請求項４】
前記Ｄ２Ｄ通信のための無線リソース割当であるＤ２Ｄスケジューリングを前記Ｄ２Ｄ通信端末主導で行う場合に、前記Ｄ２Ｄ通信端末は、前記基地局からの前記割当情報を前記Ｄ２Ｄスケジューリングに使用することを特徴とする請求項１に記載の移動通信システム。
【請求項５】
前記Ｄ２Ｄスケジューリングを行う前記Ｄ２Ｄ通信端末は、前記基地局からの前記割当情報が示す前記無線リソースを前記Ｄ２Ｄ通信に使用しないことを特徴とする請求項４に記載の移動通信システム。
【請求項６】
前記割当情報は、前記セルラ通信端末が前記セルラ通信の上りリンクに適用する変調方式を示す情報を含むことを特徴とする請求項３に記載の移動通信システム。
【請求項７】
前記Ｄ２Ｄ通信端末は、前記割当情報に含まれる前記変調方式を示す情報に基づいて、前記セルラ通信端末から受ける干渉に対する干渉キャンセル処理を行うことを特徴とする請求項６に記載の移動通信システム。
【請求項８】
前記基地局は、前記Ｄ２Ｄ通信専用の無線ネットワーク一時識別子を用いて、前記割当情報を前記Ｄ２Ｄ通信端末に送信することを特徴とする請求項１に記載の移動通信システム。
【請求項９】
前記基地局は、前記割当情報を前記Ｄ２Ｄ通信端末にブロードキャストで送信することを特徴とする請求項１に記載の移動通信システム。
【請求項１０】
前記無線リソースは、前記セルラ通信端末が前記セルラ通信の下りリンクに使用する無線リソースであることを特徴とする請求項１に記載の移動通信システム。
【請求項１１】
ネットワーク及びユーザ端末間でデータ通信を行うセルラ通信と、２以上のユーザ端末間で直接的にデータ通信を行うＤ２Ｄ通信と、をサポートする移動通信システムにおける基地局であって、
前記セルラ通信を行うセルラ通信端末に対して、前記セルラ通信に使用する無線リソースを割り当てる制御部を有し、
前記制御部は、前記Ｄ２Ｄ通信に使用可能なＤ２Ｄ無線リソースの中から前記セルラ通信端末が使用する可能性がある無線リソースを示す割当情報を、前記Ｄ２Ｄ通信を行うＤ２Ｄ通信端末に対して送信することを特徴とする基地局。
【請求項１２】
ネットワーク及びユーザ端末間でデータ通信を行うセルラ通信と、２以上のユーザ端末間で直接的にデータ通信を行うＤ２Ｄ通信と、をサポートする移動通信システムにおいて、前記Ｄ２Ｄ通信を行うユーザ端末であって、
前記セルラ通信を行うユーザ端末であるセルラ通信端末に対して前記セルラ通信に使用する無線リソースを割り当てる基地局から、前記Ｄ２Ｄ通信に使用可能なＤ２Ｄ無線リソースの中から前記セルラ通信端末が使用する可能性がある無線リソースを示す割当情報を受信する受信部を有することを特徴とするユーザ端末。
【発明の詳細な説明】
【技術分野】
【０００１】
本発明は、Ｄ２Ｄ通信をサポートする移動通信システム、当該移動通信システムにおける基地局及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。【０００３】
Ｄ２Ｄ通信は、近接する複数のユーザ端末が、移動通信システムに割り当てられた周波数帯域内で直接的な通信を行うものである。なお、Ｄ２Ｄ通信は、近傍サービス（Ｐｒｏｘｉｍｉｔｙ  Ｓｅｒｖｉｃｅ）通信と称されることもある。
【先行技術文献】
【非特許文献】
【０００４】
【非特許文献１】３ＧＰＰ技術報告  「ＴＲ  ２２．８０３  Ｖ０．３．０」  ２０１２年５月
【発明の概要】
【０００５】
しかしながら、現状では、Ｄ２Ｄ通信を適切に制御するための仕様が策定されていないため、Ｄ２Ｄ通信を、セルラ通信（ネットワークとユーザ端末との間の通信）と両立することが困難である。
【０００６】
そこで、本発明は、Ｄ２Ｄ通信を適切に制御できる移動通信システム、基地局、及びユーザ端末を提供する。
【０００７】
一実施形態に係る移動通信システムは、ネットワーク及びユーザ端末間でデータ通信を行うセルラ通信と、２以上のユーザ端末間で直接的にデータ通信を行うＤ２Ｄ通信と、をサポートする。前記移動通信システムは、前記セルラ通信を行うユーザ端末であるセルラ通信端末と、前記Ｄ２Ｄ通信を行うユーザ端末であるＤ２Ｄ通信端末と、前記セルラ通信端末が前記セルラ通信に使用する無線リソースを割り当てる基地局と、を有する。前記基地局は、前記Ｄ２Ｄ通信に使用可能なＤ２Ｄ無線リソースの中から前記セルラ通信端末が使用する可能性がある無線リソースを示す割当情報を前記Ｄ２Ｄ通信端末に送信する。
【図面の簡単な説明】
【０００８】
【図１】ＬＴＥシステムの構成図である。
【図２】ＵＥのブロック図である。
【図３】ｅＮＢのブロック図である。
【図４】ＬＴＥシステムにおける無線インターフェイスのプロトコルスタック図である。
【図５】ＬＴＥシステムで使用される無線フレームの構成図である。
【図６】セルラ通信におけるデータパスを説明するための図である。
【図７】Ｄ２Ｄ通信におけるデータパスを説明するための図である。
【図８】ＵＥ主導でＤ２Ｄスケジューリングを行うケースを説明するための図である。
【図９】第１実施形態及び第２実施形態に係る通信環境を説明するための図である。
【図１０】第１実施形態に係る動作シーケンス図である。
【図１１】第２実施形態に係る動作シーケンス図である。
【図１２】ｅＮＢ主導でＤ２Ｄスケジューリングを行うケースを説明するための図である。
【発明を実施するための形態】
【０００９】
［実施形態の概要］
実施形態に係る移動通信システムは、ネットワーク及びユーザ端末間でデータ通信を行うセルラ通信と、２以上のユーザ端末間で直接的にデータ通信を行うＤ２Ｄ通信と、をサポートする。前記移動通信システムは、前記セルラ通信を行うユーザ端末であるセルラ通信端末と、前記Ｄ２Ｄ通信を行うユーザ端末であるＤ２Ｄ通信端末と、前記セルラ通信端末が前記セルラ通信に使用する無線リソースを割り当てる基地局と、を有する。前記基地局は、前記Ｄ２Ｄ通信に使用可能なＤ２Ｄ無線リソースの中から前記セルラ通信端末が使用する可能性がある無線リソースを示す割当情報を前記Ｄ２Ｄ通信端末に送信する。これにより、Ｄ２Ｄ通信端末は、無線リソースを把握して、Ｄ２Ｄ通信とセルラ通信との間で干渉が生じることを回避できる。従って、Ｄ２Ｄ通信をセルラ通信と両立できる。
【００１０】
第１実施形態では、前記基地局は、前記Ｄ２Ｄ無線リソースの中から前記無線リソースをセルラ通信端末に割り当てる場合に、前記割当情報を前記Ｄ２Ｄ通信端末に送信する。
【００１１】
第１実施形態では、前記無線リソースは、前記セルラ通信端末が前記セルラ通信の上りリンクに使用する無線リソースである。
【００１２】
第１実施形態では、前記Ｄ２Ｄ通信のための無線リソース割当であるＤ２Ｄスケジューリングを前記Ｄ２Ｄ通信端末主導で行う場合に、前記Ｄ２Ｄ通信端末は、前記基地局からの前記割当情報を前記Ｄ２Ｄスケジューリングに使用する。例えば、前記Ｄ２Ｄスケジューリングを行う前記Ｄ２Ｄ通信端末は、前記基地局からの前記割当情報が示す前記無線リソースを前記Ｄ２Ｄ通信に使用しない。従って、Ｄ２Ｄ通信端末は、Ｄ２Ｄ通信と上りリンク通信との間で干渉が生じないように、Ｄ２Ｄスケジューリングを行うことができる。
【００１３】
第２実施形態では、前記割当情報は、前記セルラ通信端末が前記セルラ通信の上りリンクに適用する変調方式を示す情報を含む。例えば、前記Ｄ２Ｄ通信端末は、前記割当情報に含まれる前記変調方式を示す情報に基づいて、前記セルラ通信端末から受ける干渉に対する干渉キャンセル処理を行う。これにより、Ｄ２Ｄ通信端末は、Ｄ２Ｄ通信と上りリンク通信との間で干渉が生じる場合であっても、セルラ通信からの干渉をキャンセルできる。
【００１４】
前記基地局は、前記Ｄ２Ｄ通信専用の無線ネットワーク一時識別子を用いて、前記割当情報を前記Ｄ２Ｄ通信端末に送信してもよい。従って、割当情報を適切にＤ２Ｄ通信端末に送信できる。
【００１５】
或いは、前記基地局は、前記割当情報を前記Ｄ２Ｄ通信端末にブロードキャストで送信してもよい。
【００１６】
その他実施形態では、前記無線リソースは、前記セルラ通信端末が前記セルラ通信の下りリンクに使用する無線リソースである。
【００１７】
実施形態に係る基地局は、ネットワーク及びユーザ端末間でデータ通信を行うセルラ通信と、２以上のユーザ端末間で直接的にデータ通信を行うＤ２Ｄ通信と、をサポートする移動通信システムにおける基地局である。前記基地局は、前記セルラ通信を行うセルラ通信端末に対して、前記セルラ通信に使用する無線リソースを割り当てる制御部を有する。前記制御部は、前記Ｄ２Ｄ通信に使用可能なＤ２Ｄ無線リソースの中から前記セルラ通信端末が使用する可能性がある無線リソースを示す割当情報を、前記Ｄ２Ｄ通信を行うＤ２Ｄ通信端末に対して送信する。
【００１８】
実施形態に係るユーザ端末は、ネットワーク及びユーザ端末間でデータ通信を行うセルラ通信と、２以上のユーザ端末間で直接的にデータ通信を行うＤ２Ｄ通信と、をサポートする移動通信システムにおいて、前記Ｄ２Ｄ通信を行う。前記ユーザ端末は、前記セルラ通信を行うユーザ端末であるセルラ通信端末に対して、前記セルラ通信に使用する無線リソースを割り当てる基地局から、前記Ｄ２Ｄ通信に使用可能なＤ２Ｄ無線リソースの中から前記セルラ通信端末が使用する可能性がある無線リソースを示す割当情報を受信する受信部を有する。
【００１９】
［第１実施形態］
以下、図面を参照して、３ＧＰＰ規格に準拠して構成される移動通信システム（ＬＴＥシステム）にＤ２Ｄ通信を導入する場合の実施形態を説明する。
【００２０】
（ＬＴＥシステム）
図１は、本実施形態に係るＬＴＥシステムの構成図である。
【００２１】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２２】
ＵＥ１００は、移動型の無線通信装置であり、接続を確立したセル（サービングセル）との無線通信を行う。ＵＥ１００はユーザ端末に相当する。
【００２３】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００２４】
なお、「セル」は、無線通信エリアの最小単位を示す用語として使用される他に、ＵＥ１００との無線通信を行う機能を示す用語としても使用される。
【００２５】
ｅＮＢ２００は、例えば、無線リソース管理（ＲＲＭ）機能と、ユーザデータのルーティング機能と、モビリティ制御及びスケジューリングのための測定制御機能と、を有する。
【００２６】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ（Ｏｐｅｒａｔｉｏｎ  ａｎｄ  Ｍａｉｎｔｅｎａｎｃｅ）４００と、を含む。
【００２７】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００２８】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００２９】
ＯＡＭ４００は、オペレータによって管理されるサーバ装置であり、Ｅ−ＵＴＲＡＮ１０の保守及び監視を行う。
【００３０】
次に、ＵＥ１００及びｅＮＢ２００の構成を説明する。
【００３１】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３２】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３３】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３４】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００３５】
ＧＮＳＳ受信機１３０は、ＵＥ１００の地理的な位置を示す位置情報を得るために、ＧＮＳＳ信号を受信して、受信した信号をプロセッサ１６０に出力する。
【００３６】
バッテリ１４０は、ＵＥ１００の各ブロックに供給すべき電力を蓄える。
【００３７】
メモリ１５０は、プロセッサ１６０によって実行されるプログラムと、プロセッサ１６０による処理に使用される情報と、を記憶する。
【００３８】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３９】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサとしてもよい。
【００４０】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４１】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４２】
メモリ２３０は、プロセッサ２４０によって実行されるプログラムと、プロセッサ２４０による処理に使用される情報と、を記憶する。
【００４３】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４４】
図４は、ＬＴＥシステムにおける無線インターフェイスのプロトコルスタック図である。
【００４５】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００４６】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００４７】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを決定するＭＡＣスケジューラを含む。
【００４８】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００４９】
ＰＤＣＰレイヤは、ヘッダ圧縮・伸張、及び暗号化・復号化を行う。
【００５０】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００５１】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５２】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。複信方式としては、ＦＤＤ（Ｆｒｅｑｕｅｎｃｙ  Ｄｉｖｉｓｉｏｎ  Ｄｕｐｌｅｘ）方式又はＴＤＤ（Ｔｉｍｅ  Ｄｉｖｉｓｉｏｎ  Ｄｕｐｌｅｘ）方式の何れかが使用されるが、本実施形態では主としてＦＤＤ方式を想定する。
【００５３】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００５４】
ＵＥ１００に割り当てられる無線リソースのうち、周波数リソースはリソースブロックにより特定でき、時間リソースはサブフレーム（又はスロット）により特定できる。
【００５５】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００５６】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。
【００５７】
（Ｄ２Ｄ通信）
次に、Ｄ２Ｄ通信を、ＬＴＥシステムの通常の通信（セルラ通信）と比較して説明する。セルラ通信では、ネットワーク（ｅＮＢ２００）及びＵＥ１００間でデータ通信を行う。これに対し、Ｄ２Ｄ通信では、２以上のＵＥ１００間で直接的にデータ通信を行う。
【００５８】
図６は、セルラ通信におけるデータパスを示す。ここでは、ｅＮＢ２００−１との接続を確立したＵＥ１００−１と、ｅＮＢ２００−２との接続を確立したＵＥ１００−２と、の間でセルラ通信を行う場合を例示している。なお、データパスとは、ユーザデータ（ユーザプレーン）の転送経路を意味する。
【００５９】
図６に示すように、セルラ通信のデータパスはネットワークを経由する。詳細には、ｅＮＢ２００−１、Ｓ−ＧＷ３００、及びｅＮＢ２００−２を経由するデータパスが設定される。
【００６０】
図７は、Ｄ２Ｄ通信におけるデータパスを示す。ここでは、ｅＮＢ２００−１との接続を確立したＵＥ１００−１と、ｅＮＢ２００−２との接続を確立したＵＥ１００−２と、の間でＤ２Ｄ通信を行う場合を例示している。
【００６１】
例えば、ＵＥ１００−１及びＵＥ１００−２のうち一方のＵＥ１００が、近傍に存在する他方のＵＥ１００を発見することで、Ｄ２Ｄ通信が開始される。なお、Ｄ２Ｄ通信を開始するために、ＵＥ１００は、自身の近傍に存在する他のＵＥ１００を発見する（Ｄｉｓｃｏｖｅｒ）機能を有する。また、ＵＥ１００は、他のＵＥ１００から発見される(Ｄｉｓｃｏｖｅｒａｂｌｅ)機能を有する。
【００６２】
図７に示すように、Ｄ２Ｄ通信のデータパスはネットワークを経由しない。すなわち、ＵＥ間で直接的な無線通信を行う。このように、ＵＥ１００−１の近傍にＵＥ１００−２が存在するのであれば、ＵＥ１００−１とＵＥ１００−２との間でＤ２Ｄ通信を行うことによって、ネットワークのトラフィック負荷及びＵＥ１００のバッテリ消費量を削減するなどの効果が得られる。
【００６３】
ただし、Ｄ２Ｄ通信はＬＴＥシステムの周波数帯域（すなわち、セルラ通信の周波数帯域内）で行われることが想定されており、例えばセルラ通信への干渉を回避するために、ネットワーク（ｅＮＢ２００）の管理下でＤ２Ｄ通信が行われる。
【００６４】
本実施形態では、Ｄ２Ｄ通信はＬＴＥシステムの上りリンク周波数帯域（すなわち、セルラ通信の上りリンク周波数帯域内）で行われる。
【００６５】
また、本実施形態では、Ｄ２Ｄ通信のための無線リソース割当であるＤ２ＤスケジューリングをＵＥ１００主導で行う。この場合、Ｄ２Ｄ無線リソースをＵＥ１００が選択できる。ｅＮＢ２００は、Ｄ２Ｄ通信に使用可能な無線リソースであるＤ２Ｄ割当候補無線リソースを示すＤ２Ｄリソース情報をＵＥ１００に送信する。ここで、Ｄ２Ｄ割当候補無線リソースは、Ｄ２Ｄ通信に使用可能なＤ２Ｄ無線リソースに相当する。
【００６６】
図８は、ＵＥ主導でＤ２Ｄスケジューリングを行うケースを説明するための図である。ここでは、上りリンク周波数帯における１無線フレーム分の各サブフレームを図示している。
【００６７】
図８に示すように、ｅＮＢ２００は、Ｄ２Ｄ割当候補無線リソースとして、特定のサブフレームを指定する。図８の例では、無線フレーム内のサブフレーム＃１乃至＃３がＤ２Ｄ割当候補無線リソースとして指定される。
【００６８】
Ｄ２Ｄ通信を行うＵＥ１００は、Ｄ２Ｄ割当候補無線リソースを示すＤ２Ｄリソース情報をｅＮＢ２００から受信すると、Ｄ２Ｄリソース情報が示すＤ２Ｄ割当候補無線リソースの中からＤ２Ｄ無線リソース（リソースブロック）を自律的に選択する。
【００６９】
（第１実施形態に係る動作）
次に、本実施形態に係る動作を説明する。図９は、本実施形態に係る通信環境を説明するための図である。本実施形態では、セルラ通信及びＤ２Ｄ通信が同時に行われる通信環境を想定する。
【００７０】
図９に示すように、ＵＥ１００−１及びＵＥ１００−２は、Ｄ２Ｄ割当候補無線リソースの中から選択したＤ２Ｄ無線リソース（リソースブロック）を使用して、Ｄ２Ｄ通信を行っている。ＵＥ１００−１及びＵＥ１００−２のそれぞれは、Ｄ２Ｄ通信端末に相当する。
【００７１】
ＵＥ１００−１は、Ｄ２Ｄ通信のための無線リソース割当であるＤ２Ｄスケジューリングを行う。すなわち、ＵＥ１００−１は、ｅＮＢ２００から通知されたＤ２Ｄ割当候補無線リソースの中からＤ２Ｄ無線リソース（リソースブロック）を選択する。
【００７２】
これに対し、ＵＥ１００−３は、ｅＮＢ２００から割り当てられる無線リソース（リソースブロック）を使用して、ｅＮＢ２００とのセルラ通信を行っている。具体的には、ＵＥ１００−３は、ｅＮＢ２００から割り当てられる上りリンク無線リソースを使用して、ｅＮＢ２００との上りリンク通信を行っている。ＵＥ１００−３は、セルラ通信端末に相当する。
【００７３】
ここで、Ｄ２Ｄ通信に使用するＤ２Ｄ無線リソースと、上りリンク通信に使用する上りリンク無線リソースと、が重複する場合には、Ｄ２Ｄ通信及び上りリンク通信は相互に干渉を受ける。従って、Ｄ２Ｄ通信及び上りリンク通信を両立することが困難である。
【００７４】
そこで、本実施形態に係るｅＮＢ２００は、Ｄ２Ｄ割当候補無線リソースの中から上りリンク無線リソースを割り当てる場合に、上りリンク無線リソースを示す上りリンク割当情報をＵＥ１００−１に送信する。
【００７５】
例えば、図８において、ｅＮＢ２００は、サブフレーム＃１に含まれるリソースブロック＃Ａを上りリンク無線リソースとして割り当てる場合に、サブフレーム＃１に含まれるリソースブロック＃Ａを示す情報を上りリンク割当情報としてＵＥ１００−１に送信する。
【００７６】
ｅＮＢ２００は、Ｄ２Ｄ通信専用の無線ネットワーク一時識別子（Ｄ２Ｄ−ＲＮＴＩ）を用いて、上りリンク割当情報をＵＥ１００−１に送信してもよい。この場合、ｅＮＢ２００は、上りリンク割当情報をＰＤＣＣＨ上で送信してもよく、ＰＤＳＣＨ上で送信してもよい。
【００７７】
或いは、ｅＮＢ２００は、上りリンク割当情報をＤ２Ｄ通信端末にブロードキャストで送信してもよい。この場合、ｅＮＢ２００は、上りリンク割当情報をシステム情報ブロック（ＳＩＢ）に含めて送信してもよい。
【００７８】
ＵＥ１００−１は、ｅＮＢ２００から受信した上りリンク割当情報をＤ２Ｄスケジューリングに使用する。具体的には、ＵＥ１００−１は、ｅＮＢ２００から受信した上りリンク割当情報が示す上りリンク無線リソースをＤ２Ｄ通信に使用しない。例えば、ＵＥ１００−１は、サブフレーム＃１に含まれるリソースブロック＃Ａを示す情報を上りリンク割当情報として受信した場合に、サブフレーム＃１に含まれるリソースブロック＃Ａを避けてＤ２Ｄ無線リソース（リソースブロック）を選択する。
【００７９】
図１０は、本実施形態に係る動作シーケンス図である。ここでは、Ｄ２Ｄ通信端末のうちＵＥ１００−１を例に説明する。
【００８０】
図１０に示すように、ステップＳ１０１において、ＵＥ１００−１は、Ｄ２Ｄ通信を開始する。ステップＳ１０２において、ＵＥ１００−３は、セルラ通信を開始する。
【００８１】
ステップＳ１０３において、ｅＮＢ２００は、Ｄ２Ｄ割当候補無線リソースを示すＤ２Ｄリソース情報をＵＥ１００−１に送信する。
【００８２】
ステップＳ１０４において、ＵＥ１００−１は、ｅＮＢ２００から受信したＤ２Ｄリソース情報に基づいて、Ｄ２Ｄスケジューリングを行う。具体的には、ＵＥ１００−１は、Ｄ２Ｄ割当候補無線リソースの中からＤ２Ｄ無線リソース（リソースブロック）を選択する。そして、ＵＥ１００−１及びＵＥ１００−２は、Ｄ２Ｄ割当候補無線リソースの中から選択したＤ２Ｄ無線リソースを使用して、Ｄ２Ｄ通信を行う。
【００８３】
ステップＳ１０５において、ｅＮＢ２００は、ＵＥ１００−３に割り当てる上りリンク無線リソースを決定するための上りリンクスケジューリングを行う。ここでは、ｅＮＢ２００が、Ｄ２Ｄ割当候補無線リソースに含まれる無線リソースの一部を、ＵＥ１００−３に割り当てる上りリンク無線リソースとして決定したと仮定して説明を進める。
【００８４】
ステップＳ１０６において、ｅＮＢ２００は、ステップＳ１０５で決定した上りリンク無線リソースを示す上りリンク割当情報をＰＤＣＣＨ上でＵＥ１００−３に送信する。
【００８５】
ステップＳ１０７において、ｅＮＢ２００は、ステップＳ１０５で決定した上りリンク無線リソースを示す上りリンク割当情報をＵＥ１００−１に送信する。ｅＮＢ２００は、Ｄ２Ｄ−ＲＮＴＩを用いて、上りリンク割当情報をＵＥ１００−１に送信してもよい。
【００８６】
ステップＳ１０８において、ＵＥ１００−１は、ｅＮＢ２００から受信した上りリンク割当情報が示す上りリンク無線リソースをＤ２Ｄ通信に使用しないように、Ｄ２Ｄスケジューリングを行う。具体的には、ＵＥ１００−１は、Ｄ２Ｄ割当候補無線リソースの中から、上りリンク割当情報が示す上りリンク無線リソース以外の無線リソース（リソースブロック）を選択する。そして、ＵＥ１００−１及びＵＥ１００−２は、Ｄ２Ｄ割当候補無線リソースの中から選択したＤ２Ｄ無線リソースを使用して、Ｄ２Ｄ通信を行う。
【００８７】
ステップＳ１０９において、ＵＥ１００−３は、ｅＮＢ２００から受信した上りリンク割当情報が示す上りリンク無線リソースを使用して、上りリンク信号をｅＮＢ２００に送信する。例えば、ＵＥ１００−３は、上りリンク信号としてのユーザデータをＰＵＳＣＨ上でｅＮＢ２００に送信する。
【００８８】
従って、本実施形態によれば、Ｄ２Ｄ通信と上りリンク通信との間で干渉が生じないように、Ｄ２Ｄスケジューリングを行うことができる。
【００８９】
なお、ＵＥ１００−３は、ｅＮＢ２００から上りリンク割当情報を受信してから４サブフレーム後に上りリンク信号を送信する。よって、ＵＥ１００−１は、ｅＮＢ２００から上りリンク割当情報を受信してから４サブフレーム以内で、当該上りリンク無線リソースを避けるための処理を行わなければならない。
【００９０】
［第２実施形態］
以下、第２実施形態について、第１実施形態との相違点を主として説明する。
【００９１】
本実施形態では、ｅＮＢ２００は、セルラ通信端末（ＵＥ１００−３）がセルラ通信の上りリンクに適用する変調方式を示す情報を、上りリンク割当情報に含めてＤ２Ｄ通信端末（ＵＥ１００−１）に送信する。
【００９２】
Ｄ２Ｄ通信端末（ＵＥ１００−１）は、ｅＮＢ２００から受信した上りリンク割当情報に含まれる変調方式を示す情報に基づいて、セルラ通信端末（ＵＥ１００−３）から受ける干渉に対する干渉キャンセル処理を行う。
【００９３】
図１１は、本実施形態に係る動作シーケンス図である。ここでは、Ｄ２Ｄ通信端末のうちＵＥ１００−１を例に説明する。
【００９４】
図１１に示すように、ステップＳ２０１において、ＵＥ１００−１は、Ｄ２Ｄ通信を開始する。ステップＳ２０２において、ＵＥ１００−３は、セルラ通信を開始する。
【００９５】
ステップＳ２０３において、ｅＮＢ２００は、Ｄ２Ｄ割当候補無線リソースを示すＤ２Ｄリソース情報をＵＥ１００−１に送信する。
【００９６】
ステップＳ２０４において、ＵＥ１００−１は、ｅＮＢ２００から受信したＤ２Ｄリソース情報に基づいて、Ｄ２Ｄスケジューリングを行う。具体的には、ＵＥ１００−１は、Ｄ２Ｄ割当候補無線リソースの中からＤ２Ｄ無線リソース（リソースブロック）を選択する。そして、ＵＥ１００−１及びＵＥ１００−２は、Ｄ２Ｄ割当候補無線リソースの中から選択したＤ２Ｄ無線リソースを使用して、Ｄ２Ｄ通信を行う。
【００９７】
ステップＳ２０５において、ｅＮＢ２００は、ＵＥ１００−３に割り当てる上りリンク無線リソースを決定するための上りリンクスケジューリングを行う。また、ｅＮＢ２００は、上りリンクスケジューリングにおいて、ＵＥ１００−３の上りリンク通信に適用する変調方式（上りリンク変調方式）を決定する。ここでは、ｅＮＢ２００が、Ｄ２Ｄ割当候補無線リソースに含まれる無線リソースの一部を、ＵＥ１００−３に割り当てる上りリンク無線リソースとして決定したと仮定して説明を進める。
【００９８】
ステップＳ２０６において、ｅＮＢ２００は、ステップＳ２０５で決定した上りリンク無線リソースを示す上りリンク割当情報をＰＤＣＣＨ上でＵＥ１００−３に送信する。上りリンク割当情報は、ステップＳ２０５で決定した上りリンク変調方式を示す変調方式情報を含む。
【００９９】
ステップＳ２０７において、ｅＮＢ２００は、ステップＳ２０５で決定した上りリンク無線リソースを示す上りリンク割当情報をＵＥ１００−１に送信する。上りリンク割当情報は、ステップＳ２０５で決定した上りリンク変調方式を示す変調方式情報を含む。ｅＮＢ２００は、Ｄ２Ｄ−ＲＮＴＩを用いて、上りリンク割当情報及び変調方式情報をＵＥ１００−１に送信してもよい。
【０１００】
ステップＳ２０８において、ＵＥ１００−３は、ｅＮＢ２００から受信した上りリンク割当情報に含まれる変調方式情報に基づいて、上りリンク信号を生成する。また、ＵＥ１００−３は、ｅＮＢ２００から受信した上りリンク割当情報が示す上りリンク無線リソースを使用して、上りリンク信号をｅＮＢ２００に送信する。例えば、ＵＥ１００−３は、上りリンク信号としてのユーザデータをＰＵＳＣＨ上でｅＮＢ２００に送信する。
【０１０１】
ステップＳ２０９において、ＵＥ１００−１は、ｅＮＢ２００から受信した上りリンク割当情報に含まれる変調方式情報に基づいて、ＵＥ１００−３から受ける干渉に対する干渉キャンセル処理を行う。具体的には、ＵＥ１００−１は、変調方式情報が示す変調方式を適用して上りリンク信号のレプリカを生成し、生成したレプリカを用いたキャンセル処理を行う。このような方法としては、ＭＬＤ（Ｍａｘｉｍｕｍ  Ｌｉｋｅｌｉｈｏｏｄ  Ｄｅｔｅｃｔｉｏｎ）を使用できる。
【０１０２】
従って、本実施形態によれば、Ｄ２Ｄ通信と上りリンク通信との間で干渉が生じる場合であっても、Ｄ２Ｄ通信端末は、上りリンク通信からの干渉をキャンセルできる。
【０１０３】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１０４】
上述した第１実施形態及び第２実施形態では、ＵＥ主導でＤ２Ｄスケジューリングを行う一例を説明した。しかしながら、上述した第２実施形態では、ＵＥ主導でＤ２Ｄスケジューリングを行う場合に限らず、ｅＮＢ主導でＤ２Ｄスケジューリングを行ってもよい。この場合、Ｄ２Ｄ無線リソースをｅＮＢ２００が決定する。すなわち、ＵＥ１００は、Ｄ２Ｄ無線リソースの選択権を持たない。ｅＮＢ２００は、動的又は準静的に割り当てたＤ２Ｄ無線リソースをＵＥ１００に通知する。ＵＥ１００は、当該割り当てられたＤ２Ｄ無線リソースを用いてＤ２Ｄ通信を行う。
【０１０５】
図１２は、ｅＮＢ主導でＤ２Ｄスケジューリングを行うケースを説明するための図である。図１２に示すように、ｅＮＢ２００は、Ｄ２Ｄ無線リソースとして、特定のサブフレームの特定のリソースブロックを指定する。図１２の例では、無線フレーム内の２番目のサブフレーム（サブフレーム＃１）における一部のリソースブロックと４番目のサブフレーム（サブフレーム＃３）における一部のリソースブロックとがＤ２Ｄ無線リソースとして指定される。Ｄ２Ｄ通信を行うＵＥ１００は、ｅＮＢ２００から割り当てられたＤ２Ｄ無線リソースを用いてＤ２Ｄ通信を行う。なお、２番目のサブフレーム（サブフレーム＃１）について送信（Ｔｘ）とあるのは、Ｄ２Ｄ通信における一方のＵＥ１００が送信を行うことを意味しており、当該Ｄ２Ｄ通信における他方のＵＥ１００は受信を行う。４番目のサブフレーム（サブフレーム＃３）について受信（Ｒｘ）とあるのは、Ｄ２Ｄ通信における一方のＵＥ１００が受信を行うことを意味しており、当該Ｄ２Ｄ通信における他方のＵＥ１００は送信を行う。
【０１０６】
また、上述した第１実施形態及び第２実施形態では、Ｄ２Ｄ通信がＬＴＥシステムの上りリンク周波数帯域（すなわち、セルラ通信の上りリンク周波数帯域内）で行われていたが、これに限られない。Ｄ２Ｄ通信は、ＬＴＥシステムの下りリンク周波数帯域（すなわち、セルラ通信の下りリンク周波数帯域内）で行われてもよい。この場合、ｅＮＢ２００は、割当情報として、下りリンク無線リソースを示す下りリンク割当情報を、Ｄ２Ｄ通信を行うＵＥ１００に送信する。ＵＥ１００は、下りリンク割当情報を受信する。下りリンク割当情報は、セルラ通信の下りリンクに適用する変調方式を示す情報を含んでもよい。また、ｅＮＢ２００は、上りリンク無線リソース及び下りリンク無線リソースを示す割当情報をＤ２Ｄ通信を行うＵＥ１００に送信してもよい。
【０１０７】
また、上述した第１実施形態及び第２実施形態では、ｅＮＢ２００が無線リソースのスケジューリングを行った後、すなわち、セルラ通信を行うＵＥ１００に割り当てる無線リソースを決定した後に、決定した無線リソースを示す割当情報をＤ２Ｄ通信を行うＵＥ１００に送信していたが、これに限られない。ｅＮＢ２００は、ＵＥ１００に割り当てる無線リソースを決定する前に、セルラ通信を行うＵＥ１００が使用する可能性がある無線リソース（すなわち、セルラ通信によって、Ｄ２Ｄ通信に干渉を与える可能性がある無線リソース）を示す割当情報をＤ２Ｄ通信を行うＵＥ１００に送信してもよい。
【０１０８】
セルラ通信を行うＵＥ１００が使用する可能性がある無線リソースとして、例えば、以下の無線リソースが挙げられる。
（ａ）ｅＮＢ２００が、セルラ通信を行うＵＥ１００がセルラ通信の上りリンクに割り当てるために確保している無線リソース（セルラ通信を行うＵＥ１００に割り当てられる前の無線リソース）
（ｂ）ｅＮＢ２００が、上りリンク及び／又は下りリンクにおいて、他のｅＮＢ２００（他のセル）との協調干渉制御のために、優先的にセルラ通信を行うＵＥ１００に割り当てを行う予定の無線リソース（優先的にセルラ通信を行うＵＥ１００に割り当てを行わない無線リソースではない無線リソース）
（ｃ）ｅＮＢ２００が、上りリンク及び／又は下りリンクにおいて、一定周期毎に無線リソースを割り当てるセミパーシステントスケジューリング（ＳＰＳ：Ｓｅｍｉ  Ｐｅｒｓｉｓｔｅｎｔ  Ｓｃｈｅｄｕｌｉｎｇ）を行っている場合に、予めセルラ通信を行うＵＥ１００への割り当てが確定している無線リソース
【０１０９】
ｅＮＢ２００は、上述のようなセルラ通信を行うＵＥ１００が使用する可能性がある無線リソースを特定した場合、特定した無線リソースを示す割当情報をＤ２Ｄ通信を行うＵＥ１００に送信してもよい。言い換えると、ｅＮＢ２００は、動的な干渉リソースの通知だけでなく、準静的な干渉リソースの通知を行ってもよい。
【０１１０】
また、上述した第１実施形態及び第２実施形態では、複信方式としてＦＤＤ方式を想定していたが、ＴＤＤ方式であってもよい。
【０１１１】
また、上述した第１実施形態及び第２実施形態では、本発明をＬＴＥシステムに適用する一例を説明したが、ＬＴＥシステムに限定されるものではなく、ＬＴＥシステム以外のシステムに本発明を適用してもよい。
【０１１２】
なお、米国仮出願第６１／７０５９０４号（２０１２年９月２６日出願）の全内容が、参照により、本願明細書に組み込まれている。
【産業上の利用可能性】
【０１１３】
以上のように、本発明に係る移動通信システム、基地局、及びユーザ端末は、Ｄ２Ｄ通信を適切に制御できるため、移動通信分野において有用である。
【図１】
2014050557.tif 000003
【図２】
2014050557.tif 000004
【図３】
2014050557.tif 000005
【図４】
2014050557.tif 000006
【図５】
2014050557.tif 000007
【図６】
2014050557.tif 000008
【図７】
2014050557.tif 000009
【図８】
2014050557.tif 000010
【図９】
2014050557.tif 000011
【図１０】
2014050557.tif 000012
【図１１】
2014050557.tif 000013
【図１２】
2014050557.tif 000014
【国際調査報告】
2014050557.tif 000015
2014050557.tif 000016
2014050557.tif 000017
2014050557.tif 000018